(57)【要約】【課題】着脱と左右へのスライドが容易であり、確実に保持されるブック仕切り本体を有する学習机を提供する。【解決手段】平机上の書棚本体に対して、左右スライド自在及び着脱自在に取り付けられるブック仕切り本体３を有する学習机に於て、書棚本体の鉛直後壁部11には、左右に帯状窓部４が開設されている。また、ブック仕切り本体３は、その後端に保持部材７を備える。また、保持部材７は、上縁に上凹溝部24を有する上押当部材５と、上押当部材５に対して上下摺動可能に嵌合すると共に下縁に下凹溝部25を有する下押当部材６と、下縁から上縁までの高さを伸長する方向に弾発付勢する弾発部材10と、を有する。また、弾発部材10の弾発力に抗して高さを短縮させて保持部材７を帯状窓部４へ嵌め込んで、ブック仕切り本体３を取り付けるように構成した。【選択図】図３
2007236650.tif 000002
【特許請求の範囲】
【請求項１】
平机（１）上の書棚本体（２）に対して、左右スライド自在及び着脱自在に取り付けられるブック仕切り本体（３）を有する学習机に於て、
上記書棚本体（２）の鉛直後壁部（11）には、左右に帯状窓部（４）が開設され、
上記ブック仕切り本体（３）は、その後端に保持部材（７）を備え、
該保持部材（７）は、上縁に上凹溝部（24）を有する上押当部材（５）と、該上押当部材（５）に対して上下摺動可能に嵌合すると共に下縁に下凹溝部（25）を有する下押当部材（６）と、上記下縁から上記上縁までの高さを伸長する方向に弾発付勢する弾発部材（10）と、を有し、
上記弾発部材（10）の弾発力に抗して上記高さを短縮させて上記保持部材（７）を上記帯状窓部（４）へ嵌め込んで、上記ブック仕切り本体（３）を取り付けるように構成したことを特徴とする学習机。
【請求項２】
上記ブック仕切り本体（３）の後端面（３ａ）には、上記保持部材（７）の上記下押当部材（６）が固着されている請求項１記載の学習机。
【請求項３】
上記上押当部材（５）及び上記下押当部材（６）のうちいずれか一方は、上下方向のガイド孔部（17）を有し、かつ、他方は、該ガイド孔部（17）に上下スライド自在に嵌め込まれるガイド棒部（18）を有し、
さらに、上記弾発部材（10）は、上記ガイド孔部（17）の孔底部（17ａ）と上記ガイド棒部（18）の先端部（18ａ）との間に介装されている請求項１又は２記載の学習机。
【請求項４】
上記ガイド孔部（17）及び上記ガイド棒部（18）は、各々左右一対ずつ設けられ、かつ、上記ブック仕切り本体（３）の厚さ寸法（Ｗ0 ）よりも大きな左右間隔寸法（Ｗ1 ）をもって配設されている請求項３記載の学習机。
【発明の詳細な説明】
【技術分野】
【０００１】
本発明は、学習机に関する。
【背景技術】
【０００２】
従来、平机上の書棚本体に対して、左右スライド自在及び着脱自在に取り付けられるブック仕切り本体を有する学習机が知られている（例えば、特許文献１参照）。
特許文献１では、基板の両側にブックエンド板を起立状に形成すると共に、基板の後縁を延長し且つその後縁を立ち上げて係止板を形成した構造の本立（ブック仕切り本体）を、備え、この本立を、書棚本体の棚板の上面に左右スライド自在に載置したものが開示されている。この本立は、基板を棚板に載置し、係止板を、書棚本体の鉛直後壁部に開設された帯状窓部の手前側から後方側に挿通させ、鉛直後壁部で係止させるようになっている。
【特許文献１】特開平１０−２６２７４５号公報
【発明の開示】
【発明が解決しようとする課題】
【０００３】
上述の特許文献１のような従来の学習机の場合、ブック仕切り本体は、鉛直後壁部のみで係止されていたので、がたつきが生じやすく、確実な保持ができていなかった。
また、従来では、ブック仕切り本体の下端が常に棚板の上面に載置されており、ブック仕切り本体が重く、左右方向へスライドさせるのが煩雑であった。
そこで、本発明は、着脱と左右へのスライドが容易であり、確実に保持されるブック仕切り本体を有する学習机を提供することを目的とする。
【課題を解決するための手段】
【０００４】
上記の目的を達成するために、本発明に係る学習机は、平机上の書棚本体に対して、左右スライド自在及び着脱自在に取り付けられるブック仕切り本体を有する学習机に於て、上記書棚本体の鉛直後壁部には、左右に帯状窓部が開設され、上記ブック仕切り本体は、その後端に保持部材を備え、該保持部材は、上縁に上凹溝部を有する上押当部材と、該上押当部材に対して上下摺動可能に嵌合すると共に下縁に下凹溝部を有する下押当部材と、上記下縁から上記上縁までの高さを伸長する方向に弾発付勢する弾発部材と、を有し、上記弾発部材の弾発力に抗して上記高さを短縮させて上記保持部材を上記帯状窓部へ嵌め込んで、上記ブック仕切り本体を取り付けるように構成したものである。
また、上記ブック仕切り本体の後端面には、上記保持部材の上記下押当部材が固着されている。
【０００５】
また、上記上押当部材及び上記下押当部材のうちいずれか一方は、上下方向のガイド孔部を有し、かつ、他方は、該ガイド孔部に上下スライド自在に嵌め込まれるガイド棒部を有し、さらに、上記弾発部材は、上記ガイド孔部の孔底部と上記ガイド棒部の先端部との間に介装されている。
また、上記ガイド孔部及び上記ガイド棒部は、各々左右一対ずつ設けられ、かつ、上記ブック仕切り本体の厚さ寸法よりも大きな左右間隔寸法をもって配設されている。
【発明の効果】
【０００６】
本発明は、次のような著大な効果を奏する。
本発明に係る学習机は、弾発部材の弾発力により、上凹溝部及び下凹溝部が帯状窓部の上辺形成部材の下端部及び下辺形成部材の上端部に嵌め込まれた状態を維持でき、ブック仕切り本体を確実に保持できる。また、ブック仕切り本体の着脱の際、ボルト・ナット等の固着具を必要とすることもなく、ボルトのねじ込み・緩め作業も必要ない。従って、着脱容易である。
【０００７】
また、本をブック仕切り本体に立てかける場合にはブック仕切り本体の左右への移動を抑制できると共に、意識的にブック仕切り本体の位置を変更する場合には、左右へのスライドが容易となる。
また、ブック仕切り本体の重量が弾発部材に加わらないようにでき、安定してブック仕切り本体を保持できる。
また、上押当部材及び下押当部材の相対的な動きをスムーズにできるので、着脱を容易なものにできる。
また、コンパクトな保持部材にできる。
また、上凹溝部及び下凹溝部を、上辺形成部材の下端部及び下辺形成部材の上端部に確実に嵌め込むことができ、確実にブック仕切り本体を保持できる。
【発明を実施するための最良の形態】
【０００８】
以下、実施の形態を示す図面に基づき、本発明を詳説する。
図１〜図３に於て、本発明の第１の実施形態に係る学習机は、平机１と、平机１の天板１ａ上に載置される書棚本体２と、を備えている。この学習机は、平机１上の書棚本体２に対して、左右スライド自在及び着脱自在に取り付けられる複数のブック仕切り本体３…を有している。
【０００９】
書棚本体２は、上部に本40を載置するための上棚板14を有し、中央高さ位置に本40を載置するための複数の中棚板15…を有している。上棚板14の上面、及び、隣合う中棚板15, 15は、固定板22で仕切られている。
書棚本体２の鉛直後壁部11には、左右方向の帯状窓部４が複数開設されている。鉛直後壁部11は、書棚本体２の左右の側板23，23の後端間を連結する複数の帯板状の背板12…により構成されている。そして、これら背板12…には、上辺形成部材８と下辺形成部材９との２種類があり、上辺形成部材８と下辺形成部材９、及び、側板23，23に囲まれた領域に、帯状窓部４が形成されている。この帯状窓部４は、上帯状窓部４ａ，中帯状窓部４ｂ，下帯状窓部４ｃの３つ設けられている。そして、上帯状窓部４ａ，中帯状窓部４ｂ，下帯状窓部４ｃは、スリット幅（上辺形成部材８の下端と下辺形成部材９の上端との距離）Ｌ0 が所定の値に統一されている。
【００１０】
上帯状窓部４ａは、上棚板14に対応して、上棚板14より上方の所定位置に設けられている。また、中帯状窓部４ｂは、中棚板15に対応して、中棚板15より上方の所定位置に設けられている。また、下帯状窓部４ｃは、平机１の天板１ａに対応して設けられている。即ち、下帯状窓部４ｃは、平机１の天板１ａ上に本40が載置された状態において、天板１ａより上方の所定位置となるように設けられている。
なお、書棚本体２の中央には、照明器具13が配設されている。
【００１１】
ここで、第１実施形態では、ブック仕切り本体３は、木板であり、その後端に保持部材７を備えている。
保持部材７は、上縁に左右方向の上凹溝部24を有する上押当部材５と、上押当部材５に対して上下摺動可能に嵌合すると共に下縁に（下方開口状で）左右方向の下凹溝部25を有する下押当部材６と、下縁から上縁までの高さを伸長する方向に弾発付勢する弾発部材10と、を有している。
【００１２】
上押当部材５は、樹脂で一体成形されている。この上押当部材５は、図３〜図７に於て示すように、左右方向の上凹溝部24の底壁を形成する水平矩形板状の上溝底壁部24ａと、上溝底壁部24ａの前端に連設される板状で門型の前壁部26と、上溝底壁部24ａの後端に連設される板状で門型の後壁部27と、上溝底壁部24ａの左右両端に連設されると共に前壁部26と後壁部27との左右端同士をつなぐ板状の側壁部28，28と、上溝底壁部24ａの下面に垂設される左右一対のガイド棒部18，18と、を有している。
【００１３】
前壁部26及び後壁部27の上端部は、上溝底壁部24ａよりも上方へ突出状となっており、これら突出状の部分にて、上凹溝部24の前壁（以下、上溝前壁部24ｂと呼ぶ）と後壁（以下、上溝後壁部24ｃと呼ぶ）が形成されている。
また、図６に示すように、後壁部27の内側の面には、横断面が略トの字状で左右一対のレール部29, 29が突設されている。レール部29, 29は、後壁部27の下端からさらに下方へ延伸状となっている。各レール部29には、（詳細は後述するが、）上押当部材５と下押当部材６との連結状態を保つための係止部19が設けられている。    
また、左右一対のガイド棒部18，18は、ブック仕切り本体３の厚さ寸法Ｗ0 よりも大きな左右間隔寸法Ｗ1 をもって配設されている。  
【００１４】
また、下押当部材６は、樹脂で一体成形されている。この下押当部材６は、左右方向の下凹溝部25の底壁を形成する水平矩形板状の下溝底壁部25ａと、下溝底壁部25ａの前端に連設されると共に下凹溝部25の前壁を形成する下溝前壁部25ｂと、下溝底壁部25ａの後端に連設されると共に下凹溝部25の後壁を形成する下溝後壁部25ｃと、下溝底壁部25ａの上面に立設される左右一対の柱部20, 20と、各柱部20内部に上下方向に設けられて左右一対のガイド孔部17，17と、下溝底壁部25ａの上面に立設されると共に左右一対の柱部20, 20の前端同士をつなぐ取付片部21と、を有している。
【００１５】
下溝前壁部25ｂの上端から下端までの距離Ｙ（図３参照）は、下溝後壁部25ｃのものよりも長くなるように設定されている。
柱部20の後部には、長手方向（上下方向）のレール溝部31が設けられている。また、柱部20のレール溝部31を形成する壁には、上下に長い長孔部30が形成されている。
取付片部21には、複数の取付孔32…が設けられてる。そして、この取付孔32…を利用し、ボルト等の固着具にて、保持部材７の下押当部材６が、ブック仕切り本体３の後端面３ａに固着されている。
また、左右一対のガイド孔部17，17は、ブック仕切り本体３の厚さ寸法Ｗ0 よりも大きな左右間隔寸法Ｗ1 をもって配設されている。
【００１６】
上述した構成の上押当部材５と下押当部材６は、以下のようにして、相互に連結されている。
上押当部材５のレール部29は、下押当部材６のレール溝部31に嵌め込まれている。また、上押当部材５のレール部29に設けられた係止部19は、下押当部材６のレール溝部31を形成する壁に設けられた長孔部30に嵌め込まれている。
また、上押当部材５の上溝底壁部24ａと前壁部26と後壁部27と側壁部28，28とで囲まれた空間に、下押当部材６の上端部（柱部20，20の上端部と取付片部21の上端部）が、嵌め込まれている。
さらに、上押当部材５のガイド棒部18，18は、下押当部材６のガイド孔部17，17に上下スライド自在に嵌め込まれている。そして、ガイド孔部17の孔底部17ａとガイド棒部18の先端部18ａとの間に、コイルスプリングから成る弾発部材10が介装されている。
これにより、上押当部材５（下押当部材６）に対して下押当部材６（上押当部材５）を上下摺動させることが可能となっている。
【００１７】
保持部材７の自由状態（保持部材７の下縁から上縁までの高さを最も伸長させた状態）では、図４に示すように、上押当部材５の係止部19，19が下押当部材６の長孔部30，30の上端にて係止され、上押当部材５と下押当部材６との分離が規制される。この場合、上押当部材５の上溝底壁部24ａと下押当部材６の下溝底壁部25ａとの距離Ｌ1 は、帯状窓部４のスリット幅（上辺形成部材８の下端と下辺形成部材９の上端との距離）Ｌ0 と同じか、あるいはＬ0 よりわずかに大きくなるように設定されている。
【００１８】
また、保持部材７の最短縮状態（保持部材７の下縁から上縁までの高さを最も短縮させた状態）では、図５に示すように、上押当部材５の上溝底壁部24ａの下面が下押当部材６の柱部20, 20及び取付片部21の上端に当接するようになっている。この場合、上押当部材５の上溝後壁部24ｃの上端と下押当部材６の下溝後壁部25ｃの下端との距離Ｌ2 は、帯状窓部４のスリット幅Ｌ0 よりわずかに小さくなるように設定されている。  
保持部材７の上押当部材５（下押当部材６）に対して下押当部材６（上押当部材５）を上下摺動させる際、上押当部材５と下押当部材６は、ガイド孔部17，17とガイド棒部18，18、及び、レール部29, 29とレール溝部31，31によってガイドされるので、その動きがスムーズになっている。
【００１９】
上述した構成により、ブック仕切り本体３は、図８に示すように、弾発部材10の弾発力に抗して保持部材７の下縁から上縁までの高さを短縮させて保持部材７を帯状窓部４（上帯状窓部４ａ，中帯状窓部４ｂ，下帯状窓部４ｃ）へ嵌め込んで、取り付けられるようになっている。より具体的には、保持部材７の下縁から上縁までの高さを短縮させることによって（図８中の矢印Ｄ方向）、上辺形成部材８の下端部と下辺形成部材９の上端部との間に上押当部材５の上溝後壁部24ｃ及び下押当部材６の下溝後壁部25ｃを通し（図８中の矢印Ｃ方向）、上凹溝部24を上辺形成部材８の下端部に嵌め込むと共に下凹溝部25を下辺形成部材９の上端部に嵌め込むようになっている。
【００２０】
また、ブック仕切り本体３の取付状態では、図３に示すように、上押当部材５の上溝底壁部24ａは上辺形成部材８の下端部に当接（あるいは押圧状に接触）し、下押当部材６の下溝後壁部25ｃは下辺形成部材９の上端部に当接（あるいは押圧状に接触）するようになっている。また、上凹溝部24の上溝前壁部24ｂ，上溝後壁部24ｃ、及び、下凹溝部24の下溝前壁部25ｂ，下溝後壁部25ｃによって、取付け状態におけるブック仕切り本体３の前後方向の移動、あるいは、保持部材７を中心とする鉛直軸心廻りの揺動が、抑制されるようになっている。
また、ブック仕切り本体３の重みによって下押当部材６の下溝前壁部25ｂには大きな力が加わるが、下溝前壁部25ｂの上端から下端までの距離が、下溝後壁部25ｃのものよりも長くなるように設定されていることにより、安定して、ブック仕切り本体３は保持される。
【００２１】
また、図１に示すように、複数のブック仕切り本体３…の取付状態において、各ブック仕切り本体３の下端は、上棚板14，中棚板15，天板１ａの上面から夫々、距離Ｈ1 ，Ｈ2 ，Ｈ3 だけ離れるように設定されている。即ち、各ブック仕切り本体３は、各棚板及び天板１ａに載置されることなく、その下端は、浮いた状態となっている。また、距離Ｈ1 ，Ｈ2 ，Ｈ3 は、各棚板及び天板１ａに対する帯状窓部４（上帯状窓部４ａ，中帯状窓部４ｂ，下帯状窓部４ｃ）の位置によって決定される。
【００２２】
次に、図９に於て、本発明の第２の実施形態を示す。
第２実施形態では、第１実施形態とブック仕切り本体３の形状が相違する場合を例示している。即ち、第２実施形態のブック仕切り本体３は、第１実施形態と異なり、箱状となっている場合を例示している。これにより、ブック仕切り本体３が、小物入れと本40の仕切りとの２つの機能を有するように構成されるので、無駄となるスペースを削減することができる。
また、従来のブック仕切り本体を有する学習机と比較して、小物を入れる場所と本40を置く場所のアレンジの幅を広げることができ、各個人の好みにより合った構成の学習机とすることができるようになっている。
また、第２実施形態では、ブック仕切り本体３が、平面視で前後に細長の長方形状に外形が形成されている。これにより、ブック仕切り本体３の左右側面に本40を立てかける際に、ブック仕切り本体３の左右側面略全体で本40を支持することができるようになっている。
そのほかの構造は、第１実施形態と同様である。
【００２３】
なお、本発明は上述の実施の形態に限定されず、本発明の要旨を逸脱しない範囲で設計変更可能である。例えば、本実施形態では、下押当部材６が上下方向のガイド孔部17，17を有し、かつ、上押当部材５が、ガイド孔部17，17に上下スライド自在に嵌め込まれるガイド棒部18，18を有する場合を例示したが、本発明はこれに限らず、上押当部材が上下方向のガイド孔部を有し、かつ、下押当部材がガイド棒部を有するように構成するも好ましい。
【００２４】
以上のように、本発明に係る学習机は、平机１上の書棚本体２に対して、左右スライド自在及び着脱自在に取り付けられるブック仕切り本体３を有する学習机に於て、書棚本体２の鉛直後壁部11には、左右に帯状窓部４が開設され、ブック仕切り本体３は、その後端に保持部材７を備え、保持部材７は、上縁に上凹溝部24を有する上押当部材５と、上押当部材５に対して上下摺動可能に嵌合すると共に下縁に下凹溝部25を有する下押当部材６と、下縁から上縁までの高さを伸長する方向に弾発付勢する弾発部材10と、を有し、弾発部材10の弾発力に抗して高さを短縮させて保持部材７を帯状窓部４へ嵌め込んで、ブック仕切り本体３を取り付けるように構成したので、弾発部材10の弾発力により、上凹溝部24及び下凹溝部25が帯状窓部４の上辺形成部材８の下端部及び下辺形成部材９の上端部に嵌め込まれた状態を維持できる。これにより、取付け状態におけるブック仕切り本体３の前後方向の移動や保持部材７を中心とする鉛直軸心廻りの揺動を規制することができ、ブック仕切り本体３を確実に保持できる（脱落しにくい）。また、ブック仕切り本体３の着脱の際、ボルト・ナット等の固着具を必要とすることもなく、ボルトのねじ込み・緩め作業も必要ない。従って、着脱容易である。
【００２５】
また、弾発部材10の弾発力により、上凹溝部24（上溝底壁部24ａ）及び下凹溝部25（下溝底壁部25ａ）を上辺形成部材８の下端部及び下辺形成部材９の上端部に、適度な押圧力をもって接触させることができる（つまり、保持部材７を、帯状窓部４において突っ張り状とすることができる）。これにより、本40をブック仕切り本体３に立てかける場合にはブック仕切り本体３の左右への移動を抑制できると共に、意識的にブック仕切り本体３の位置を変更する場合には、左右へのスライドが容易となる。
また、ブック仕切り本体３を左右へスライドさせる際、帯状窓部４のスリット幅Ｌ0 が変動しても、その変動に上押当部材５と下押当部材６の動きとを追従させることができるので、ブック仕切り本体３を確実に保持できる。
【００２６】
また、ブック仕切り本体３の後端面３ａには、保持部材７の下押当部材６が固着されているので、ブック仕切り本体３の重量が弾発部材10に加わらないようにできる。これにより、安定してブック仕切り本体３を保持できる。また、本40を書棚本体２に出し入れする際、嵌め込み状態の上凹溝部24及び下凹溝部25が上辺形成部材８の下端部及び下辺形成部材９の上端部から不意に外れるのを抑制できる。
【００２７】
また、上押当部材５及び下押当部材６のうちいずれか一方は、上下方向のガイド孔部17を有し、かつ、他方は、ガイド孔部17に上下スライド自在に嵌め込まれるガイド棒部18を有し、さらに、弾発部材10は、ガイド孔部17の孔底部17ａとガイド棒部18の先端部18ａとの間に介装されているので、上押当部材５（下押当部材６）に対して下押当部材６（上押当部材５）を上下摺動させる際、ガイド孔部17及びガイド棒部18にてガイドさせるようにできる。これにより、上押当部材５及び下押当部材６の相対的な動きをスムーズにできるので、着脱を容易なものにできる。
また、弾発部材10を、ガイド孔部17の孔底部17ａとガイド棒部18の先端部18ａとの間に介装させることによって、ガイド用に設けられたガイド孔部17のスペースを有効利用して弾発部材10を配設することができる。これにより、コンパクトな保持部材７にできる。
【００２８】
また、ガイド孔部17及びガイド棒部18は、各々左右一対ずつ設けられ、かつ、ブック仕切り本体３の厚さ寸法Ｗ0 よりも大きな左右間隔寸法Ｗ1 をもって配設されているので、上押当部材５（下押当部材６）に対して下押当部材６（上押当部材５）を上下摺動させる際、上凹溝部24の延伸方向と上凹溝部24の延伸方向との関係を一定に維持できる。これにより、上凹溝部24及び下凹溝部25を、上辺形成部材８の下端部及び下辺形成部材９の上端部に確実に嵌め込むことができ、確実にブック仕切り本体３を保持できる。
【図面の簡単な説明】
【００２９】
【図１】本発明の第１実施形態に係る学習机を示す要部正面図である。
【図２】一部破断側面図である。
【図３】帯状窓部への取付状態の保持部材及びその周辺の要部断面側面図である。
【図４】自由状態の保持部材及びその周辺を示す要部背面図である。
【図５】最短縮状態の保持部材及びその周辺を示す要部背面図である。
【図６】図３のＡ−Ａ線断面平面図である。
【図７】図３のＢ−Ｂ線断面平面図である。
【図８】ブック仕切り本体を取り付ける際の説明用側面図である。
【図９】第２実施形態のブック仕切り本体及びその周辺を示す斜視図である。
【符号の説明】
【００３０】
１  平机
２  書棚本体
３  ブック仕切り本体
３ａ  後端面
４  帯状窓部
５  上押当部材
６  下押当部材
７  保持部材
10  弾発部材
11  鉛直後壁部
17  ガイド孔部
17ａ  孔底部
18  ガイド棒部
18ａ  先端部
24  上凹溝部
25  下凹溝部
40  本
Ｗ0   ブック仕切り本体の厚さ寸法
Ｗ1   ガイド孔部及びガイド棒部の左右間隔寸法
【図１】
2007236650.tif 000003
【図２】
2007236650.tif 000004
【図３】
2007236650.tif 000005
【図４】
2007236650.tif 000006
【図５】
2007236650.tif 000007
【図６】
2007236650.tif 000008
【図７】
2007236650.tif 000009
【図８】
2007236650.tif 000010
【図９】
2007236650.tif 000011